(57)【特許請求の範囲】
【請求項１】
リール本体と、
前記リール本体に回転自在に支持されたスプール軸と、
内部に空間を有する糸巻胴部と、前記スプール軸が貫通する筒状の軸取付部と、前記糸巻胴部と前記軸取付部とを連結する連結壁部と、を有するスプールと、
前記連結壁部に対向して配置される少なくとも一つの磁石を有し、前記磁石の前記連結壁部に対する磁力により前記スプールを制動する制動装置と、
を備えた両軸受リール。
【請求項２】
前記制動装置は、前記磁石を取付けるための磁石取付部材を有する、請求項１に記載の両軸受リール。
【請求項３】
前記磁石取付部材は、円周方向に延び第１端及び第２端を有する円弧状に形成されるとともに、前記第２端が、第１位置と前記第１位置よりも外周側の第２位置との間で移動可能であり、
前記制動装置は、
前記磁石取付部材の前記第１端を回動自在に支持する支持部材と、
前記磁石取付部材の前記第２端を前記第１位置側に付勢する付勢部材と、
をさらに有する、
請求項２に記載の両軸受リール。
【請求項４】
前記連結壁部は、前記磁石と対向する第１側面と、前記第１側面と軸方向において逆側の第２側面と、を有し、
前記第１側面は、外周側が内周側よりも前記磁石に接近するように傾斜している、請求項１から３のいずれか１項に記載の両軸受リール。
【請求項５】
前記連結壁部は、外周側の肉厚が内周側の肉厚よりも厚くなるように傾斜するテーパ面によって形成される、請求項１から４のいずれか１項に記載の両軸受リール。
【請求項６】
前記支持部材は、前記スプール軸の軸方向に移動可能であり、
前記制動装置は、前記支持部材を軸方向に移動させることによって制動力を調整する調整部材をさらに有する、
請求項３に記載の両軸受リール。
【発明の詳細な説明】
【技術分野】
【０００１】
本発明は、両軸受リール、特に、スプールを制動する制動装置を有する両軸受リールに関する。
【背景技術】
【０００２】
釣り糸が繰り出されるときにスプールが回転する両軸受リールでは、キャスティング時にスプールの回転速度が糸繰り出し速度より速くなり、釣り糸がたるんで糸ふけが生じ、糸が絡む、いわゆるバックラッシュが生じる。スプールの慣性が大きいと仕掛けの投擲に伴ってスプールが回転しにくく、飛距離が伸びないばかりか、制動力をかけても速度が低下しにくく、バックラッシュが生じやすい。そこで、スプールの糸巻胴部に貫通孔を形成し、スプールの慣性量の低減を図ったものが知られている。
【０００３】
また、回転するスプールに制動力を付与するための制動装置を設けたものが提供されている。例えば、特許文献１の制動装置は、電磁ブレーキを用いてスプールに制動力を作用させるとともに、その制動力を調整することが可能である。
【先行技術文献】
【特許文献】
【０００４】
【特許文献１】特開２０１６−０３６３０８号公報
【発明の概要】
【発明が解決しようとする課題】
【０００５】
特許文献１の制動装置は、電磁ブレーキを構成する磁石をスプールの糸巻胴部の内周面に対向させることによってスプールの回転を制動しているため、糸巻胴部の磁石と対向している部分は貫通孔を設けると十分な制動力が発生しない。また、スプールの慣性量を低減するために、糸巻胴部は一般的に薄肉して形成されることが多い。この場合も、渦電流が十分に発生せずに必要とする制動力が得られないことがある。
【０００６】
本発明の課題は、スプールを制動する制動装置を有する両軸受リールにおいて、スプールの慣性量の低減化を図り、かつスプールの回転に応じた制動力をスプールに適切に付与できるようにすることにある。
【課題を解決するための手段】
【０００７】
本発明の一側面に係る両軸受リールは、リール本体と、スプール軸と、スプールと、スプールを制動する制動装置と、を備えている。スプール軸は、リール本体に回転自在に支持されている。スプールは、内部に空間を有する糸巻胴部と、スプール軸が貫通する筒状の軸取付部と、糸巻胴部と軸取付部とを連結する連結壁部と、を有している。制動装置は、連結壁部に対向して配置される少なくとも一つの磁石を有し、磁石の連結壁部に対する磁力によってスプールを制動する。
【０００８】
この両軸受リールでは、糸巻胴部と軸取付部とを連結する連結壁部に磁石を対向させることで、スプールの回転が制動される。これにより、糸巻胴部の全体に貫通孔を設けることができるため、スプールの慣性量をより低減することができる。また、スプールの強度を保つために適度な肉厚が必要となる連結壁部を被制動部とすることで、十分な制動力を得ることができる。
【０００９】
好ましくは、制動装置は、磁石を取付けるための磁石取付部材を有している。
【００１０】
好ましくは、磁石取付部材は、円周方向に延び第１端及び第２端を有する円弧状に形成されるとともに、第２端が、第１位置と第１位置よりも外周側の第２位置との間で移動可能である。制動装置は、磁石取付部材の第１端を回動自在に支持する支持部材と、磁石取付部材の第２端を第１位置側に付勢する付勢部材と、をさらに有している。
【００１１】
この場合は、スプールの回転が高速になるほど、制動力に応じた反力が磁石取付部材に作用し、磁石取付部材の第２端は外周側に第２位置側に移動する。すると、制動力が発生する磁石部分が外周側に移動し、このため制動力が大きくなる。
【００１２】
好ましくは、連結壁部は、磁石と対向する第１側面と、第１側面と軸方向において逆側の第２側面と、を有している。第１側面は、外周側が内周側よりも磁石に接近するように傾斜している。
【００１３】
この場合は、スプールの回転が高速になると、制動力に応じた反力が磁石に作用し、磁石取付部材の第２端は外周側の第２位置側へ移動する。すると、制動力が発生する磁石部分が外周側に移動する。ここで、連結壁部は外周側がより磁石に接近するよう傾斜しているので、結果的にスプールの回転が高速になると制動力がより大きくなる。一方、スプールの回転が低速のときは制動力が小さくなる。このため、キャスティング時の飛距離を伸ばしつつ、バックラッシュによる糸ふけを抑えることができ、より実用性の高い制動機能を実現できる。
【００１４】
好ましくは、連結壁部は、外周側の肉厚が内周側の肉厚よりも厚くなるように傾斜するテーパ面によって形成される。この場合も、前記同様に、スプールの回転が低速のときは制動力が比較的小さく、高速のときは制動力が大きくなり、実用性の高い制動機能を実現できる。
【００１５】
好ましくは、支持部材は、スプール軸の軸方向に移動可能であり、制動装置は、支持部材を軸方向に移動させることによって制動力を調整する調整部材をさらに有している。これにより、制動力の調整を容易に行うことができる。
【発明の効果】
【００１６】
本発明によれば、スプールの慣性量の低減化を図り、かつスプールの回転に応じた制動力をスプールに適切に付与することができる。
【図面の簡単な説明】
【００１７】
【図１】本発明の一実施形態が採用された両軸受リールの側面図。
【図２】本発明の一実施形態が採用された両軸受リールの断面図。
【図３】制動装置を含む両軸受リールの分解斜視図。
【図４】制動装置を含む両軸受リールの拡大断面図
【図５】制動装置の部分拡大図。
【図６】制動装置の側面図。
【図７】スプールが回転したときにおける制動装置の側面図の一例を示した図。
【発明を実施するための形態】
【００１８】
＜両軸受リールの全体構成＞
図１及び図２は、本発明の一実施形態が採用された両軸受リールの側面図及び断面図を示している。この両軸受リールは、リール本体１と、リール本体１の内部に配置されたスプール２と、リール本体１に回転自在に支持されたスプール軸３と、リール本体１の側方に配置されたスプール２の回転用ハンドル４と、スプール２の回転を制動するための制動装置５と、を備えている。
【００１９】
リール本体１は、図１及び図２に示すように、フレーム６と、フレーム６の両側方に装着された第１側カバー７及び第２側カバー８と、フレーム６上部に装着された図示しないサムレストと、を有している。フレーム６は、所定の間隔を開けて互いに対向するように配置された１対の第１側板９及び第２側板１０と、これらを連結する図示しない複数の連結部と、を有している。
【００２０】
第１側カバー７の内側面には、図３に示すように、スプール軸３の一端を支持する軸支持部１１を固定するための複数（例えば３つ）の固定ボス部７ａが形成されている。軸支持部１１は、概ね円筒形状であり、中央にスプール軸３を収容するための円筒部１１ａを有している。円筒部１１ａには、スプール軸３の一端を回転自在に支持するための軸受１２ａが配置されている。軸支持部１１の内側（ハンドル４側）には、制動装置５が配置されている。また、軸支持部１１の底面はスプール軸３と直交しており、この軸支持部１１の底面には、軸支持部１１を固定するためのネジ部材１３が貫通する孔１１ｂと、後述する支持部材２０の係止部２３が挿入される長孔１１ｃと、が設けられている。
【００２１】
スプール２は、図２および図４に示すように、釣り糸を巻き付け可能な筒状の糸巻胴部１４と、スプール軸３に固定される筒状の軸取付部１５と、糸巻胴部１４と軸取付部１５とを連結する連結壁部１６と、を有している。スプール２は、軸取付部１５を貫通するスプール軸３に対して回転不能となるように、軸取付部１５とスプール軸３とが例えばセレーションにより結合されている。スプール２は、例えばアルミニウム合金製であり、非磁性の電気的導電体である。
【００２２】
糸巻胴部１４は、内周側において空間を有するように形成されている。また、糸巻胴部１４には、図３に示すように、スプール２の軽量化を図るために、それぞれ複数の円形の貫通孔１７および楕円形の貫通孔１８が、一定の間隔を隔てて形成されている。
【００２３】
連結壁部１６は、図２および図４に示すように、糸巻胴部１４と軸取付部１５とを連結しており、円板状に形成されている。連結壁部１６は、内周側に比較して外周側の肉厚が厚くなっている。より詳細には、後述する磁石２７と対向する側の第１側面１６ａの外周側が、内周側よりも磁石２７に接近するように傾斜している。なお、第１側面１６ａと逆側の第２側面１６ｂは、回転軸に対して直交するように形成されている。
【００２４】
スプール軸３は、一端が軸支持部１１に配置される軸受１２ａによって回転自在に支持される。スプール軸３の他端は、第２側板１０を貫通して第２側カバー８の外方に延びており、軸受１２ｂにより、第２側カバー８に形成されたボス部１９に回転自在に支持されている。
【００２５】
ハンドル４は、板状のアーム部４ａと、アーム部４ａの両端に回転自在に装着された１対の把持部４ｂとを、有している。
【００２６】
＜制動装置５の構成＞
制動装置５は、リール本体１に回転自在に装着されたスプール２の回転を制動するためのものである。図３に示すように、制動装置５は、支持部材２０と、１対の磁石取付部材２４と、複数の磁石２７と、２つのばね部材２８と、固定板２９と、を有している。
【００２７】
支持部材２０は、概ね円筒形状であり、その中心軸はスプール軸３の中心軸（回転軸）と一致している。支持部材２０は、軸支持部１１の円筒部１１ａの外周を覆うように配置され、軸方向に移動可能である。支持部材２０の外周面には、１対の突起部２１と１対の保持爪２２とが形成されている。１対の突起部２１は、径方向外方に突出し、対向する位置に形成されている。また、各突起部２１には軸方向に貫通する孔２１ａが形成されている。１対の保持爪２２は、円周方向において１対の突起部２１の間に、径方向に突出し、対向する位置に形成されている。また、支持部材２０は、第１側カバー７方向に延びる１対の係止部２３を有している。係止部２３は軸支持部１１に形成された長孔１１ｃに挿入されている。これにより、支持部材２０は、軸方向に移動可能で、かつ回転不能である。なお、一方の係止部２３の先端部の外周面には、突起２３ａが形成されている。
【００２８】
１対の磁石取付部材２４は周方向に間隔を隔てて配置されている。各磁石取付部材２４は、円周方向に延びる円弧状に形成されており、支持部２５と、係合部２６と、を有している。
【００２９】
支持部２５は、磁石取付部材２４の長手方向の第１端側に設けられており、軸方向の両端面に円柱形状の突起部２５ａを有している。突起部２５ａは、支持部材２０の突起部２１に形成された孔２１ａと、後述する固定板２９の貫通孔２９ｂと、に挿入されている。これにより、磁石取付部材２４は、支持部材２０と固定板２９とによって支持され、内周側の第１位置と外周側の第２位置との間で回動自在である。
【００３０】
係合部２６は、磁石取付部材２４の長手方向の第２端側（第１端とは逆側）に設けられている。係合部２６は、支持部材２０の保持爪２２と係合して、磁石取付部材２４の回動範囲を規制している。また、係合部２６には、ばね部材２８を装着するための突起２６ｃが設けられている。
【００３１】
ここで、支持部材２０の保持爪２２と磁石取付部材２４の係合部２６とについて詳細に説明する。図５に拡大して示すように、支持部材２０の保持爪２２は、円周方向に延びる外周部２２ａと、外周部２２ａの先端から内周側に延びるストッパ部２２ｂと、を有している。このような構成により、外周部２２ａの内周側には空間Ａが形成されている。
【００３２】
一方、係合部２６は、磁石取付部材２４の第２端から延びる内周部２６ａと、内周部２６ａの先端から外周側に延びるストッパ部２６ｂと、を有している。そして、係合部２６のストッパ部２６ｂが支持部材２０の保持爪２２に形成された空間Ａに進入するように配置され、両ストッパ部２２ｂ，２６ｂが対向している。
【００３３】
複数の磁石２７は、磁石取付部材２４にはめ込まれて固定されており、磁石取付部材２４に一体的に設けられている。複数の磁石２７は、図６及び図７に示すように、連結壁部１６と向き合うように、かつＮ極とＳ極とが交互になるように、一定の間隔を隔てて周方向に並べられて配置されている。
【００３４】
ばね部材２８は、図５に示すようにコイルスプリングであり、磁石取付部材２４の係合部２６のストッパ部２６ｂと、支持部材２０の保持爪２２のストッパ部２２ｂと、の間に配置されている。そして、ばね部材２８は係合部２６から突出して設けられた突起２６ｃに支持されている。ばね部材２８は、磁石取付部材２４の係合部２６を内周側に付勢する。
【００３５】
固定板２９は、概ね円形の板状部材であり、中央にはスプール軸３が通る貫通孔２９ａが形成され、外周側には磁石取付部材２４の突起部２５ａと係合する貫通孔２９ｂが形成されている。固定板２９は、ねじ部材３０によって支持部材２０に固定されている。
【００３６】
＜調整部材３１＞
調整部材３１は、制動装置５の制動力を調節するものであり、支持部材２０を軸方向に移動させることで、制動力の調整を行う。図３に示すように、調整部材３１は有底筒状に形成されている。また、調整部材３１は、図２に示すように、ネジ部材３２によって軸支持部１１に装着されており、第１側カバー７側から見たとき、半分程度露出した状態になっている。調整部材３１の筒部３１ａの外周面には、螺旋状溝３１ｂが形成されている。この螺旋状溝３１ｂは、図４に示すように支持部材２０の係止部２３の突起２３ａと噛み合っている。これにより、調整部材３１を時計回りに回すと、支持部材２０を有する制動装置５が連結壁部１６に近づく方向へ移動するため、制動力が強くなる。反対に、調整部材３１を反時計回りに回すと、制動装置５が連結壁部１６から離反する方向へ移動するため、制動力が弱くなる。この調整部材３１によって制動力を容易に調整することができる。
【００３７】
＜スプール回転時の制動装置５の動作について＞
次に、図６及び図７を参照して、釣り糸をキャストしたときの、制動装置５の動作について説明する。図６はスプール２が回転していないときの状態を示し、図７はスプール２が比較的高速で回転しているときの状態を示している。
【００３８】
スプール２が回転すると、導電体であるスプール２の連結壁部１６に対向する磁石２７の磁束によって、スプール２にはその回転速度に応じた渦電流が発生する。この渦電流によって、スプール２には回転方向と逆方向の力が付与される。これによりスプール２は制動される。また、スプール２が渦電流の発生によって制動されている状態では、制動力に応じた反力が磁石２７に作用する。この反力によって、磁石取付部材２４の第２端（係合部２６側）が外周側の第２位置側（図７の位置）に移動すると、制動力が発生する磁石２７が外周側に移動するため、制動力が大きくなる。なお、ここでは釣り糸をキャストしたとき、磁石２７と対向する連結壁部１６は、ばね部材２８が縮む方向に回転する。
【００３９】
さらに、連結壁部１６は、磁石２７の外周側、すなわち磁石２７と対向する側の第１側面１６ａの外周側が、より磁石２７に接近するよう傾斜している。これにより、磁石２７が外周側の第２位置側に移動すると、磁石２７と連結壁部１６との距離が接近する。このため、スプール２の回転が高速になると制動力がより大きくなる。一方、スプール２の回転が低速のときは制動力が小さくなる。このため、キャスティング時の飛距離を伸ばしつつ、バックラッシュによる糸ふけを抑えることができ、より実用性の高い制動機能を実現できる。
【００４０】
また、連結壁部１６と磁石２７とを対向させることによりスプール２の制動を行うため、糸巻胴部１４の全体的に貫通孔１７を設けることができる。このため、スプール２の軽量化を図ることができる。
【００４１】
なお、連結壁部１６の第１側面１６ａと軸方向において逆側の第２側面１６ｂは、軸方向に直交する平面形状となっている。これにより、連結壁部１６の肉厚の増加を避けることができ、スプール２を軽量化することができる。
【００４２】
＜その他の実施形態＞
（ａ）前記実施形態では、導電体がスプール２である場合の例を示したが、これに変えて、スプール２に固定された金属製の縦壁状の部材を導電体としてもよい。
【００４３】
（ｂ）前記実施形態では、磁石取付部材２４を周方向に２つ配置して、それぞれに磁石２７を４箇所ずつ配置したが、磁石取付部材２４の数や配置、さらには磁石２７の数や間隔なども任意に設定可能である。また、磁石のN極とS極の並びについても、任意に設定可能である。
【００４４】
（ｃ）前記実施形態では、連結壁部１６の磁石２７と対向する第１側面１６ａの外周側が内周側よりも磁石２７に接近するように傾斜しているが、両側面の外周側の肉厚が内周側の肉厚よりも厚くなるように傾斜するテーパ面によって形成されていてもよい。また、連結壁部１６の第１側面１６ａは、軸方向に直交する平面形状でもよい。また、第２側面１６ｂは第１側面１６ａと均一肉厚を成すように傾斜していてもよい。
【００４５】
（ｄ）連結壁部１６に、適度な貫通孔を設けてもよい。例えば、磁石２７と対向していない部分に貫通孔を設ければ、制動力を保ちつつ、スプール２の軽量化をさらに図ることができる。
【符号の説明】
【００４６】
１  リール本体
２  スプール
３  スプール軸
５  制動装置
１１  軸支持部
１４  糸巻胴部
１５  軸取付部
１６  連結壁部
１６ａ  第１側面
１６ｂ  第２側面
２０  支持部材
２２  保持爪
２３  係止部
２３ａ  突起
２４  磁石取付部材
２５  支持部
２６  係合部
２７  磁石
２８  ばね部材
３１  調整部材
３１ｂ  螺旋状溝
【図１】
0006688679.tif 000002
【図２】
0006688679.tif 000003
【図３】
0006688679.tif 000004
【図４】
0006688679.tif 000005
【図５】
0006688679.tif 000006
【図６】
0006688679.tif 000007
【図７】
0006688679.tif 000008